(57)【要約】      （修正有）【課題】感湿材料を利用して給水を提示する植木鉢を提供する。【解決手段】本感湿材料を利用して給水を提示する植木鉢は、外鉢１、内鉢２、感湿材料３を含み、前記外鉢が不透水の容器状の形態であり、前記感湿材料が前記外鉢の壁面上に嵌置され、前記内鉢が多孔質材料から成り、上縁部に注水孔２１を備え、前記外鉢内部に設置される、または前記外鉢が多孔質材質から成り、前記外鉢の外壁に感知区域を残して水隔離層を塗布し、前記感湿材料を前記感知区域に塗布し、前記外鉢上の前記感湿材料が前記多孔質の内鉢の含水量を知らせ、使用者に給水して植木鉢内の植物の水分を調節する必要があるかを提示する。【選択図】図１
0003158620.tif 000002
【実用新案登録請求の範囲】
【請求項１】
感湿材料を利用して給水を提示する植木鉢であって、外鉢、内鉢、感湿材料を含み、前記外鉢は不透水の容器状の形態を成し、前記内鉢は多孔質材料から成り、前記外鉢の内部に設置され、前記外鉢の壁面と前記内鉢の壁面の間に貯水エリアが形成され、且つ前記内鉢の上縁部に注水孔が設けられ、前記感湿材料が前記外鉢の壁面下方に貫通して嵌置され、且つ前記貯水エリアと相通されたことを特徴とする、感湿材料を利用して給水を提示する植木鉢。
【請求項２】
前記感湿材料上に文字または図案、符号、提示語句が設けられ、水を吸っていないときは不透明であり、水を吸うと透明になり、その中の前記文字または図案、符号、提示語句が表示されることを特徴とする、請求項１に記載の感湿材料を利用して給水を提示する植木鉢。
【請求項３】
感湿材料を利用して給水を提示する植木鉢であって、外鉢、内鉢、感湿材料を含み、前記外鉢が多孔質材料から成り、且つ前記外鉢の外壁上に感知区域を残して水隔離層が塗布され、前記内鉢は多孔質材料から成り、前記外鉢の内部に設置され、前記外鉢の壁面と前記内鉢の壁面の間に貯水エリアが形成され、且つ前記内鉢の上縁部に注水孔が設けられ、前記感湿材料が前記外鉢の前記感知区域に塗布されたことを特徴とする、感湿材料を利用して給水を提示する植木鉢。
【請求項４】
前記水隔離層の材質が釉薬であることを特徴とする、請求項３に記載の感湿材料を利用して給水を提示する植木鉢。
【請求項５】
前記水隔離層の材質が高分子プラスチックであることを特徴とする、請求項３に記載の感湿材料を利用して給水を提示する植木鉢。
【請求項６】
前記外鉢の前記感知区域及び前記感湿材料の間に文字または図案、符号、提示語句の警告図案または文字が設けられ、前記感湿材料が水を吸っていないときは不透明であり、水を吸うと透明になって、前記警告図案または文字が表示されることを特徴とする、請求項３に記載の感湿材料を利用して給水を提示する植木鉢。
【請求項７】
前記警告図案または文字の面積が前記感知区域の面積より小さいことを特徴とする、請求項６に記載の感湿材料を利用して給水を提示する植木鉢。
【考案の詳細な説明】
【技術分野】
【０００１】
本考案は感湿材料を利用して給水を提示する植木鉢に関し、特に感湿材料を利用して植木鉢内の水位を感知し、感湿材料が水分を感知すると透明になり、給水の必要性を容易に提示することができる、感湿材料を利用して給水を提示する植木鉢に関する。
【背景技術】
【０００２】
一般に植木鉢に植えられた植物は適時定期的に給水する必要があり、常用される方式は、植木鉢の底部に別途容器を設置し、植木鉢に注入した水が多過ぎるとき、余分な水を植木鉢の底部の孔から流出させて容器に蓄積させる。しかしながら、容器内の水には蚊や虫が発生しやすく、居住環境に不利であり、且つ現在市場で見受けられる従来の植木鉢の製造方法はほとんどが直接射出成型する方式を採用しており、局部に第二材料を嵌入できる植木鉢の製造が容易でなく、第二材料を嵌入できたとしても嵌入の緊密性が悪かったり、美観に影響したりすることがあり、また時間が経つと感湿材料を直接付着させにくくなる等の欠点がある。
【０００３】
台湾特許公告第Ｉ２４１１５８号「多数の毛細孔を備えた植木鉢の製造方法」では、二酸化ケイ素(ＳｉＯ２)及びアルミナ(Ａｌ２Ｏ３)を均一に混合した後、それを金型に注入して成型し、最後に加熱ベーキング手段で完成品を形成する方法を採用した植木鉢を開示している。この発明の特徴は、主に二酸化ケイ素とアルミナを混合する過程においてさらに屑状、顆粒状の乾燥植物材料を混入している点であり、この混入された乾燥植物材料が加熱ベーキング過程において高温のために焼けて消失し、各乾燥植物材料の所在位置に中空の孔状空間が形成され、多数の毛細孔を備えた植木鉢を構成している。しかしながら、この発明には以下のような欠点がある。
１、  
従来の多数の毛細孔を備えた植木鉢の製造方法は、そのステップにおいて２種類以上の吸収材料を均一に混合し、射出成型で鉢を形成しており、感湿材料を鉢の外側に付着させておらず、また植木鉢の底部に水盤を設置して水分を供給する必要がある。
２、  
使用者に給水のメッセージを提示することはできないため、植木鉢の植物の土に水分が足りているかを知ることができず、植木鉢内で栽培している植物を枯らせてしまうことがある。
【先行技術文献】
【特許文献】
【０００４】
【特許文献１】台湾特許公告第Ｉ２４１１５８号明細書
【考案の概要】
【考案が解決しようとする課題】
【０００５】
従来の多数の毛細孔を備えた植木鉢は感湿材料を利用して給水を提示する機能がないという問題に鑑み、本考案の目的は、感湿材料を利用して給水を提示する植木鉢を提供することにある。
【課題を解決するための手段】
【０００６】
本考案の感湿材料を利用して給水を提示する植木鉢は、外鉢、内鉢、感湿材料を含み、前記外鉢は不透水の容器状の形態を成し、前記内鉢は多孔質材料から成り、前記外鉢の内部に設置され、前記内鉢の上縁部に注水孔が設けられ、前記外鉢の壁面と前記内鉢の壁面の間に貯水エリアが形成され、前記感湿材料が前記外鉢の壁面下方に貫通して嵌置され、且つ貯水エリアと相通される。
【０００７】
上述の感湿材料上には文字または図案、符号、提示語句が設けられ、水を吸っていないときは不透明であり、水を吸うと透明になって、その中の文字または図案、符号、提示語句が表示される。
【０００８】
本考案の別の実施例の感湿材料を利用して給水を提示する植木鉢は、多孔質材料から成る外鉢と、多孔質材料から成る内鉢と、感湿材料を含み、前記外鉢の外壁上に感知区域を残して水隔離層が塗布され、前記外鉢の内部に前記内鉢が設置され、前記外鉢の壁面と前記内鉢の壁面の間に貯水エリアが形成され、且つ前記内鉢の上縁部に注水孔が設けられ、前記感湿材料が前記外鉢の感知区域に塗布される。
【０００９】
上述の水隔離層の材質は釉薬またはプラスチックであり、水の隔離作用を形成するほか、図案や模様等の装飾図案を設けて外観の美観を高めてもよく、それにより購買意欲を刺激することができる。
【００１０】
上述の外鉢の感知区域及び感湿材料の間には文字または図案、符号、提示語句の警告図案または文字を設置し、且つ前記警告図案または文字の面積は前記感知区域の面積より小さく、水分を多孔質の外鉢から前記感湿材料に浸み込ませることができ、前記感湿材料が水を吸っていないときは不透明で、水を吸うと透明になり、前記警告図案または文字が表示される。
【考案の効果】
【００１１】
本考案には以下のような利点がある。
１、  
本考案の構成は簡潔であり、コストが低く、市場競争力を高め、消費者の購買意欲を刺激することができる。
２、  
本考案は感湿材料で使用者に給水の適切なタイミングを提示し、植木鉢内の植物の水不足を容易に知らせることができる。
３、  
本考案の内鉢の材料は多孔質材料であり、多孔質材料内に分布する微細孔により毛細管作用を形成し、外鉢の水を内鉢に浸み込ませ、内鉢の土に水分を吸収させて、植木鉢内の植物の水分を調節することができる。
【図面の簡単な説明】
【００１２】
【図１】本考案の実施例１の断面図である。
【図２】本考案の実施例１の使用状態を示す断面図である。
【図３】本考案の実施例１の感湿材料が水を吸って変化した状態を示す正面図である。
【図４】本考案の実施例１の感湿材料が水を吸って変化する前の状態を示す正面図である。
【図５】本考案の実施例２の断面図である。
【図６】本考案の実施例２の使用状態を示す断面図である。
【図７】本考案の実施例３の毛細管棒の断面図である。
【図８】本考案の実施例３の使用状態を示す断面図である。
【実施例１】
【００１３】
まず、図１と図２に示すように、本考案の実施例１の感湿材料を利用して給水を提示する植木鉢は、外鉢１、内鉢２、感湿材料３を含む。
【００１４】
前記外鉢１は不透水の容器状の形態を成している。
【００１５】
前記内鉢２は多孔質材料から成り、前記外鉢１内部に設置され、且つ前記内鉢２の上縁部に注水孔２１が設けられ、前記外鉢１の壁面と前記内鉢２の壁面の間に貯水エリア２２が形成される。
【００１６】
前記感湿材料３は、前記外鉢１の壁面下方に貫通して嵌置され、且つ貯水エリア２２と相通される。
【００１７】
使用時は、前記内鉢２内に土を入れて植物Ａを植え、水分Ｂを前記注水孔２１から前記内鉢２と前記外鉢１の間の貯水エリア２２内に注入し、前記外鉢１の壁面上の前記感湿材料３が水分Ｂに接触して透明になり、また前記内鉢１は多孔質材料に分布する微細孔を利用して毛細管作用を形成し、水分Ｂを微細孔から内鉢２内に浸み込ませ、前記内鉢２内の土に水分Ｂを吸収させて土の湿度を調節することができ、前記貯水エリア２２は水分Ｂを貯蔵でき、前記内鉢２の土が乾くと前記貯水エリア２２に貯蔵された水分Ｂが多孔質材料上の微細孔から前記内鉢２の土の中に浸み込み、植物Ａに吸収させることができ、前記貯水エリア２２内の水分Ｂが不足または欠乏すると、感湿材料３が水分Ｂに接触しないために透明から不透明になり、または警告の文字または図案、符号、提示語句が表示されて、使用者に前記注水孔２１から水分Ｂを貯水エリア２２内に加えるよう提示し、土が乾いて植物Ａが枯れてしまうことがないようにすることができる。このため、図３、図４に示すように、鉢の感湿材料３の表示図案によって、内鉢２内の土の水分Ｂまたは湿度が植物Ｂの成長に充足且つ十分に供給されているかを知ることができ、提示作用をより明確にして、鉢の中の植物Ｂが水不足で枯れてしまうということが起こりにくく、植物Ｂの成長に有利である。
【実施例２】
【００１８】
本考案の別の実施例を図５に示す。外鉢１Ａは多孔質材料から成り、且つ前記外鉢１Ａの外壁上に水隔離層１１Ａが塗布され、前記水隔離層１１Ａの材質は釉薬またはプラスチックとしてもよく、感知区域１２Ａを残して塗布する。内鉢２Ａは多孔質材料から成り、前記外鉢１Ａの内部に設置され、且つ前記内鉢２Ａの上縁部に注水孔２１Ａが設けられ、前記外鉢１Ａの壁面と前記内鉢２Ａの壁面の間に貯水エリア２２Ａが形成される。感湿材料３Ａは前記外鉢１Ａの感知区域１２Ａに塗布され、且つ前記外鉢１Ａの感知区域１２Ａ及び前記感湿材料３Ａの間に文字または図案、符号、提示語句の警告図案または文字４Ａが設置され、且つ前記警告図案または文字４Ａの面積は前記感知区域１２Ａの面積より小さく、水分を多孔質の外鉢１Ａから前記感湿材料３Ａに浸み込ませることができ、且つ前記感湿材料３Ａは水を吸っていないときは不透明で、水を吸うと透明になって前記警告図案または文字４Ａが表示される。
【００１９】
使用時は、図６に示すように、実施例１と同様に、植物Ａを前記内鉢２Ａ内に植え、前記注水孔２１Ａから水分Ｂを前記貯水エリア２２Ａに注入する。異なるのは、前記貯水エリア２２Ａ内の水分Ｂが毛細管現象によって前記多孔質の外鉢１Ａに浸み込み、前記感湿材料３Ａが吸収して水分を感知し、透明になって前記警告図案または文字４Ａが表示される点である。反対に、前記貯水エリア２２Ａ内の水分が不足して、前記感湿材料３Ａが水分Ｂを吸収できなくなると、前記感湿材料３Ａが不透明になり、使用者は前記注水孔２１Ａから水分Ｂを前記貯水エリア２２Ａに加えることができる。
【実施例３】
【００２０】
本考案の実施例３を図７と図８に示す。感知区域５１を設けた多孔質の毛細管棒５を設置し、前記感知区域５１上に感湿材料３Ｂを塗布し、前記感知区域５１と前記感湿材料３Ｂの間に文字または図案、符号、提示語句の警告図案または文字４Ｂを設置し、前記毛細管棒５を植木鉢６の中に挿入し、前記植木鉢６の水の含量が十分なとき、前記毛細管棒５が毛細管現象によって水を前記感知区域５１まで吸い上げ、前記感湿材料３Ｂが透明になり、前記警告図案または文字４Ｂが表示され、反対に、前記感湿材料３Ｂが不透明になると、使用者に植木鉢６に給水するよう促すことができる。
【符号の説明】
【００２１】
１、１Ａ      外鉢          
１１Ａ        水隔離層
１２Ａ        感知区域
２、２Ａ      内鉢          
２１、２１Ａ    注水孔  
２２、２２Ａ    貯水エリア         
３、３Ａ、３Ｂ  感湿材料     
４Ａ、４Ｂ    警告図案または文字
５            毛細管棒
５１          感知区域
６            植木鉢
Ａ            植物                 
Ｂ            水分
【図１】
0003158620.tif 000003
【図２】
0003158620.tif 000004
【図３】
0003158620.tif 000005
【図４】
0003158620.tif 000006
【図５】
0003158620.tif 000007
【図６】
0003158620.tif 000008
【図７】
0003158620.tif 000009
【図８】
0003158620.tif 000010